(57)【要約】【課題】空気の清浄化に使用される空気清浄機において、操作部２７をＯＮまたは人感センサー２８が人を感知することで送風機１０が回転した際、集塵部１７や本体２内に蓄積したタバコのヤニなどの煙成分あるいはホコリなどから臭いが再放出し、送風機１０の強風により周囲に撒き散らし、周囲にいる人が不快になるという課題があり、集塵部１７や本体内に蓄積し再放出する臭いの拡散を抑えることを目的とする。【解決手段】空気浄化用のフィルターと風量切り替え自在な送風機とを備えるとともに、前記送風機の運転を開始する際、初期の一定時間だけ少ない風量で運転する。【選択図】　図２
2004144355.tif 000002
【特許請求の範囲】
【請求項１】
空気浄化用のフィルターと、風量切り替え自在な送風機とを備え、前記送風機の運転を開始する際、初期の一定時間だけ少ない風量で運転することを特徴とする空気清浄機。
【請求項２】
前記送風機の運転を開始初期から一定時間は少ない風量（第１の風量）で運転し、その後風量を上げてある一定時間内に第２の風量にすることを特徴とした請求項１記載の空気清浄機。
【請求項３】
吸込み風量を第１の風量から第２の風量にするまでの時間を３０秒〜３分間としたことを特徴とする請求項２記載の空気清浄機。
【請求項４】
第１の風量を、６〜１２ｍ３／ｍｉｎとしたことを特徴とする請求項１〜請求項３のいずれかに記載の空気清浄機。
【発明の詳細な説明】
【０００１】
【発明の属する技術分野】
本発明は、室内の空気を清浄する空気清浄機に関するものである。
【０００２】
【従来の技術】
従来、この種の空気清浄機は、室内の空気の汚染度を検出するセンサを備え、該センサから出力される汚染度と設定したしきい値とを制御部で比較し、該制御部によってファンを所定の風量で動作させ、前記室内の空気を吸い込んで清浄フィルタで清浄した後、その清浄空気を室内に吹き出すものが知られている（例えば、特許文献１参照）。
【０００３】
【特許文献１】
特開２０００−１１１１０７号公報（第２頁、第１図）
【０００４】
【発明が解決しようとする課題】
このような従来の空気清浄機は、制御部にセンサ１４から出力される空気汚染度の最大値を記憶した時からの経過時間を計測するファン制御用タイマを設け、このファン制御用タイマによって一定時間経過したことを検出するとファン１２を停止または一段階弱い風量で動作させるようにしたものであり、センサが汚染度を検出し、あらかじめ設定したしきい値とを制御部で比較し、該制御部によってファン１２を停止または「弱」「中」「強」のいずれかの風量で動作させるようにしたものである。センサの汚染度検出値によっては「中」や「強」で回転し、清浄フィルタ１１や本体内に蓄積したタバコのヤニなどの煙成分あるいはホコリなどから臭いが再放出し、ファン１２により周囲に撒き散らし、周囲にいる人が不快になるという課題があった。
【０００５】
そこで本発明は、操作部をＯＮまたは人感センサーが人を感知することで送風機の運転を開始する際、初期の一定時間だけ少ない風量で運転することにより、清浄フィルタや本体内に蓄積し、再放出する臭いを少しずつ放出することにより拡散を抑えることのできる空気清浄機を提供することを目的とする。
【０００６】
【課題を解決するための手段】
請求項１記載の本発明の空気清浄機は、空気浄化用のフィルターと風量切り替え自在な送風機とを備えるとともに、前記送風機の運転を開始する際、初期の一定時間だけ少ない風量で運転することを特徴とする。
【０００７】
請求項２記載の本発明の空気清浄機は、前記送風機の運転を開始初期から一定時間は少ない風量（第１の風量）で運転し、その後風量を上げてある一定時間内に第２の風量にすることを特徴とする。
【０００８】
請求項３記載の本発明の空気清浄機は、吸込み風量を第１の風量から第２の風量にするまでの時間を３０秒〜３分間としたことを特徴とする。
【０００９】
請求項４記載の本発明の空気清浄機は、第１の風量を、６〜１２ｍ３／ｍｉｎとしたことを特徴とする。
【００１０】
【発明の実施の形態】
本発明の第１の実施の形態による空気清浄機は、送風機の運転を開始する際、初期の一定時間だけ少ない風量（第１の風量）で運転するようにしたものである。本実施の形態によれば、本体内に蓄積した臭いの拡散を抑えることができる。
【００１１】
本発明の第２の実施の形態は、第１の実施の形態による空気清浄機において、送風機の制御を第１の風量で運転後、風量を上げてある一定時間内に第２の風量とするものである。本実施の形態によれば、集塵部や本体内に蓄積し、再放出する臭いを最初弱い風量で運転し、その後風量を上げていくことで、拡散を抑えるとともに鼻を徐々に慣れさせることができる。
【００１２】
本発明の第３の実施の形態は、第２の実施の形態による空気清浄機において、吸込み風量を第１の風量から第２の風量にするまでの時間を３０秒〜３分間としたものである。本実施の形態によれば、臭いに対して効果的な切り替え時間とすることができる。
【００１３】
本発明の第４の実施の形態は、第１〜３の実施の形態による空気清浄機において、第１の風量を、６〜１２ｍ３／ｍｉｎとしたものである。本実施の形態によれば、第１の風量でもタバコの煙を処理することができ、拡散の程度を抑えることができる。
【００１４】
【実施例】
以下、本発明の実施例について図面を参照しながら説明する。
【００１５】
図１は同実施例による空気清浄機を示す外観斜視図、図２は同空気清浄機の空気の流れを示す縦断面図、図３は同空気清浄機の制御構成を示すブロック図、図４は同第１の風量より風量を上げ第２の風量にする動作を示すタイムチャート、図５は同臭気強度変化を示すグラフ、図６は吸込範囲と風量の関係を示す側面図、図７は吹出範囲を示す平面図である。
【００１６】
まず、図１と図２を用いて、室内の空気を洗浄する空気清浄機の全体構成について説明する。
【００１７】
本実施例による空気清浄機は、外枠１に囲まれた本体２と、本体２の上部に設けたテーブル３と、このテーブル３のほぼ中央に設けた吸込口４と、この吸込口の周囲にグリル枠１３を設け、このグリル枠１３の上に載せたパンチングメタル状の穴を有した吸込みグリル１４と、この吸込みグリル１４から突出させて設けた人を検知する人感センサー２８と、吸込口４の下流側には吸込みグリル１４を通過した埃を取るプリフィルター１５と微細なほこりを集塵する集塵フィルター１６で構成した集塵部１７と、臭いを除去する脱臭フィルター１８を設けている。
【００１８】
本発明の集塵方法は、電極を用いた電気式ではなく、中性能フィルターやＨＥＰＡフィルターなどの機械式の集塵フィルターを用いている。機械式の場合、圧損を少なくするために、表面積を大きくするため電気式に比べてタバコのヤニなどの煙成分の蓄積も多く、再放出する臭いのが出やすいので、その対策として送風機の制御方法を工夫したものである。その制御方法は後述する。
【００１９】
さらに下流側には本体２内を仕切った底板５と、この底板５上に設けたモーター台７と、このモーター台７の上にはモーター８と両軸に設けられケーシング６で覆われた羽根９とで構成された送風機１０が載せられ、ケーシング６の吹出し側の端部は底板５に固定されており、吸込口４から下流側方向に空気の流れをつくる構成となっている。
【００２０】
さらに、本体２内部には操作部２７と電源回路部２１を設け、電源回路部２１は電源コード２０と接続している。
【００２１】
また、本体の底部には手軽に移動できるキャスター１２を有した本体脚１１と、浄化した空気を排出する排気口２９を有し、この排気口２９には底板５に固定され吹出し風を側面方向に導く風向板１９を設けている。
【００２２】
さらに図３に示すように、電源回路部２１は、送風機１０の運転を切換える手段を備えた送風機制御部２２と、この送風機制御部２２に信号を送る操作制御部２３を設けた制御手段２４を有し、前記操作制御部２３は操作部２７を備えるとともに、マイクロコンピューターを介して人感センサー２８と接続している。
【００２３】
次に動作を説明する。喫煙者がタバコを吸うために近寄ると、人感センサー２８がこれを検知し、送風機制御部２２によりモーター８に通電され送風機１０が動作し本体２内が負圧となる。喫煙者がタバコに火をつけて吸うことによって発生した煙成分や空気中に含まれた埃は、吸込口４に設けた吸込みグリル１４のパンチングメタル状の穴から本体２内に吸込まれ、比較的大きい埃はプリフィルター１５によって除去され、プリフィルター１５を通過した比較的小さい埃は機械式フィルターである集塵フィルター１６によって除去される。
【００２４】
空気中の臭いは、脱臭フィルター１８によって吸着され浄化されるが、フィルターや本体内に蓄積しているタバコのヤニなどの煙成分あるいはホコリなどの臭いが、送風機１０のケーシング６と羽根９の中を通過し、風向板１９によって吹出し風は側面方向に導かれ、排気口２９から再放出され、送風機１０により周囲に撒き散らされ、周囲にいる人が不快になることがあった。
【００２５】
したがって、その対策として送風機の制御方法を工夫したもので、以下にその制御方法について詳しく説明する。
【００２６】
図３に示すように、電源が投入された状態で人感センサー２８は人を感知すると同時にマイクロコンピューターを経由して操作制御部２３に信号を送り、この操作制御部２３からの信号は送風機制御部２２に送られ送風機１０を動作させる。
【００２７】
また、操作部２７のスイッチ（図示せず）の投入時または人感センサー２８が人を感知した時の初期信号により送風機制御部２２に信号を送り送風機１０を第１の風量であるタイムチャート図４（ａ）上の弱運転で回転させて、第１の風量から略６０秒経過後、風量を第１の風量より上げた第２の風量（強運転）に切換える。本実施例では弱運転から強運転に切換えたが、これに限るものではなく、人が操作部２７により中運転を設定すれば、弱運転から中運転に切換えられる。
【００２８】
図５は実際の事務所でモニター評価した結果を示したグラフで、横軸に時間経過、縦軸にその時の臭気強度をとり、第１の風量から第２の風量に切換える時間を変えた時の臭気強度を調べたものである。
【００２９】
このグラフからわかるように第１の風量から第２の風量に切換える時間を０から１２０秒に変化させた時、臭気強度のピーク値は明らかに減少していることがわかる。
【００３０】
すなわち、初期段階では、第１の風量で送風機１０を運転することにより、脱臭フィルター１８に蓄積された臭いが出にくくなり人に不快感を与えないことが実際の実験で判明した。
【００３１】
一方タバコを吸う人は、早い人では２〜３分で吸ってしまい、あまりに第１の風量の時間が長いと第２の風量になる前に吸い終わってしまうため、実験では１２０秒までとしたが、経過時間を３０秒〜３分間としてもこの範囲であれば臭いを拡散することを抑制する効果に差異を生じない。
【００３２】
図４（ｂ）は他の実施例による送風機の制御方法である。制御上の弱運転で回転させて、第１の風量から略３０秒経過後、風量を第１の風量より上げた中運転に切換え、さらに略３０秒経過後、強運転に切換える。このように、ある一定時間の間に複数段階に分けて風量を上げていき、第２の風量にする制御になっている。
【００３３】
このように、第１の風量から第２の風量の差を徐々に少なくし、排気風を拡散させることにより臭いを抑えるとともに鼻を段階的に慣れさせることができる。
【００３４】
なお、送風機１０を第２の風量に切換える段階は、多ければ多いほど前段階との差が少なくなり、臭いに鼻が慣れて人が感じる臭気強度も小さくなる傾向がある。
【００３５】
図４（ｃ）は他の実施例による送風機の制御方法である。
【００３６】
図に示すように、インバータ制御により送風機の吸込み風量を第１の風量から第２の風量へ、ある一定時間かけて無段階に風量を増やしていき、臭いに鼻を慣らす制御になっている。
【００３７】
図６および図７に示すように、第１の風量を、６〜１２ｍ３／ｍｉｎに設定している。
【００３８】
本体２の上部に設けたテーブル３のほぼ中央に設けた吸込範囲と、風量の関係と吹出範囲から判断すると、第１の風量の下限風量を６ｍ３／ｍｉｎより少ない風量にすると、タバコの煙の吸込み範囲が狭くなり充分に吸わなくなる。また、上限風量が１２ｍ３／ｍｉｎより多くなると、集塵部や本体内に蓄積し、再放出する臭いの拡散の程度が大きくなってしまうため、６ｍ３／ｍｉｎ〜１２ｍ３／ｍｉｎの範囲に限定した。
【００３９】
【発明の効果】
以上の実施例から明らかなように、本発明の集塵方法は機械式で、圧損を少なくするためにフィルターの表面積を大きくしているため臭いも出やすいが、本発明によれば送風機を運転開始する際、初期の一定時間だけ少ない風量で運転することにより、集塵部や本体内に蓄積し、再放出する臭いの拡散を抑えることができる。
【００４０】
また、集塵部や本体内に蓄積し、再放出する臭いを最初弱い風量で運転し、最初より多い風量に切換えることで、拡散を抑えるとともに鼻を段階的に慣れさせ、不快感を軽減することができる。
【００４１】
また、第１の風量から第２の風量にする時間を３０秒〜３分間とすることで臭いに対して効果的な切換え時間とすることができる。
【００４２】
また、第１の風量を、６〜１２ｍ３／ｍｉｎとすることで、第１の風量でもタバコの煙を処理することができ、拡散の程度を抑えられる勝手の良い風量とすることができる。
【図面の簡単な説明】
【図１】本発明の一実施例による空気清浄機を示す外観斜視図
【図２】同空気の流れを示す縦断面図
【図３】同制御構成を示すブロック図
【図４】（ａ）同一定時間後に第１の風量より風量を上げ第２の風量にする動作を示すタイムチャート
（ｂ）他の実施例による一定時間後に第１の風量より複数段階に分けて風量を上げて第２の風量にする動作を示すタイムチャート
（ｃ）他の実施例による第１の風量より無段階に風量を増やして第２の風量にする動作を示すタイムチャート
【図５】本発明の一実施例による空気清浄機の臭気強度変化を示すグラフ
【図６】同吸込範囲と風量の関係を示す側面図
【図７】同吹出範囲を示す平面図
【符号の説明】
２　　本体
３　　テーブル
４　　吸込口
５　　底板
６　　ケーシング
８　　モーター
９　　羽根
１０　送風機
１４　吸込みグリル
１５　プリフィルター
１６　集塵フィルター
１７　集塵部
１８　脱臭フィルター
２１　電源回路部
２２　送風機制御部
２３　操作制御部
２４　制御手段
２７　操作部
２８　人感センサー
２９　排気口
【図１】
2004144355.tif 000003
【図２】
2004144355.tif 000004
【図３】
2004144355.tif 000005
【図４】
2004144355.tif 000006
【図５】
2004144355.tif 000007
【図６】
2004144355.tif 000008
【図７】
2004144355.tif 000009